(57)【要約】      （修正有）【課題】簡単な構造で日差しを遮る窓面緑化が可能で、現場で容易に組み立てを行うことができ、しかも植物が枯れた場合などには取り替が容易な窓面緑化システムを提供する。【解決手段】窓面緑化システムは、窓内側の下枠６１に沿って固定される植物を育成可能な育成箱２０と、窓内側の上枠に沿って固定される支持部材と、育成箱２０と支持部材との間に設けられる成長する植物７０をはわせることが可能な線状または網状の植物はわせ材４０とを有し、育成箱２０に、植物に水を供給する水供給層と、植物を育成する育成層２２を配置し、育成層２２は、育成箱２０に着脱可能であり、植物はわせ材４０は、支持部材６１に着脱可能である。【選択図】図７
0003174208.tif 000002
【実用新案登録請求の範囲】
【請求項１】
窓内側の下枠に沿って固定される植物を育成可能な育成箱と、
窓内側の上枠に沿って固定される支持部材と、
前記育成箱と前記支持部材との間に設けられる成長する植物をはわせることが可能な線状または網状の植物はわせ材と、を有し、
前記育成箱に、
植物に水を供給する水供給層と、植物を育成する育成層を配置し、
前記育成層は、前記育成箱に着脱可能であり、前記植物はわせ材は、前記支持部材に着脱可能であることを特徴とする窓面緑化システム。
【請求項２】
前記育成箱に水を供給する水供給装置を備えることを特徴とする請求項１に記載の窓面緑化システム。
【請求項３】
窓内側にブラインドを備え、
前記窓と前記ブラインドとの間に配置されることを特徴とする請求項１または請求項２に記載の窓面緑化システム。
【考案の詳細な説明】
【技術分野】
【０００１】
この考案は、室内の窓面を緑化し、かつ日差しを遮るのに好適な窓面緑化システムに関するものである。
【背景技術】
【０００２】
従来、例えば学校などの低層階では、ツル型植物をネットにはわせて外部の日差しを遮るもの、また日射を遮る代表的なものにブラインドがある。
【０００３】
また、壁面緑化を施しつつ構造物（建物の室内）への採光を可能にするとともに、冬場などの低温時に植物の育成を促進させることを可能にしたもの（特許文献１）、建物の室内側から植栽植物を観賞することができるとともに、その植物を長期間にわたって適切に育成させるもの（特許文献２）などがある。
【先行技術文献】
【特許文献】
【０００４】
【特許文献１】特開２０１０−２９０８８号公報
【特許文献２】特開２０１１−６９１６号公報
【考案の概要】
【考案が解決しようとする課題】
【０００５】
ところで、ツル型植物をワイヤーにはわせて外部の日差しを遮るものは、オフィスなどの高層ではネットを建物の外部に設置することが困難であり、また風の影響を受けるなどの問題がある。また、ブラインドにより日射を遮るものでは、ブラインド自体が温まり、室内の温度を上げてしまう問題がある。
【０００６】
また、特許文献１のものは、壁面緑化を施しつつ構造物（建物の室内）への採光を可能にするもので、また特許文献２は、建物の室内側から植栽植物を観賞するもので、いずれも緑化を目的とするものであり、外部の日差しを遮るものではなく、しかも大掛かりな緑化システムである。
【０００７】
この考案は、かかる点に鑑みてなされたもので、簡単な構造で日差しを遮る窓面緑化が可能で、現場で容易に組み立てを行うことができ、しかも植物が枯れた場合などには取り替が容易な窓面緑化システムを提供することを目的としている。
【課題を解決するための手段】
【０００８】
前記課題を解決し、かつ目的を達成するために、この考案は、以下のように構成した。
【０００９】
請求項１に記載の考案は、窓内側の下枠に沿って固定される植物を育成可能な育成箱と、窓内側の上枠に沿って固定される支持部材と、前記育成箱と前記支持部材との間に設けられる成長する植物をはわせることが可能な線状または網状の植物はわせ材と、を有し、前記育成箱に、植物に水を供給する水供給層と、植物を育成する育成層を配置し、前記育成層は、前記育成箱に着脱可能であり、前記植物はわせ材は、前記支持部材に着脱可能であることを特徴とする窓面緑化システムである。
【００１０】
請求項２に記載の考案は、前記育成箱に水を供給する潅水装置を備えることを特徴とする請求項１に記載の窓面緑化システムである。
【００１１】
請求項３に記載の考案は、窓内側にブラインドを備え、前記窓と前記ブラインドとの間に配置されることを特徴とする請求項１または請求項２に記載の窓面緑化システムである。
【考案の効果】
【００１２】
前記構成により、この考案は、以下のような効果を有する。
【００１３】
請求項１に記載した考案では、育成箱を窓内側の下枠に沿って固定し、支持部材を窓内側の上枠に沿って固定し、育成層は、育成箱に着脱可能であり、植物はわせ材は、支持部材に着脱可能であることで、現場で容易に組み立てを行うことができる。また、育成箱の植物は、水供給層と育成層によって育成されて成長し、成長する植物を植物はわせ材にはわせることで、日差しを遮る窓面緑化が可能である。また、植物はわせ材は、支持部材に着脱可能であり、容易に組み立てを行うことができるとともに、日射遮蔽が必要ない冬期には容易に取り外すことができ、また植物が枯れた場合には容易に取り外し交換することができる。
【００１４】
請求項２に記載の考案では、育成箱に水を供給する潅水装置を備え、水を自動的に供給することで、潅水の回数を低減することができ、水の管理の手間を大幅に低減することができる。
【００１５】
請求項３に記載の考案では、窓内側にブラインドを備え、窓とブラインドとの間に配置され、ブラインドの邪魔になることがない。
【図面の簡単な説明】
【００１６】
【図１】窓面緑化システムの斜視図である。
【図２】窓面緑化システムの断面図である。
【図３】育成層と植物はわせ材のユニットの正面図である。
【図４】図３のＩＶ−ＩＶ線に沿う断面図である。
【図５】水面検出部の断面図である。
【図６】潅水装置を備える実施の形態を示す図である。
【図７】窓面緑化システムの組み立て手順を説明する図である。
【考案を実施するための形態】
【００１７】
以下、この考案の窓面緑化システムの実施の形態について説明する。この考案の実施の形態は、考案の最も好ましい形態を示すものであり、この考案はこれに限定されない。
【００１８】
この実施の形態の窓面緑化システムを、図１乃至図７に基づいて説明する。図１は窓面緑化システムの斜視図、図２は窓面緑化システムの断面図、図３は育成層と植物はわせ材のユニットの正面図、図４は図３のＩＶ−ＩＶ線に沿う断面図、図５は水面検出部の断面図、図６は水供給装置を備える実施の形態を示す図、図７は窓面緑化システムの組み立て手順を説明する図である。
【００１９】
［窓面緑化システムの構成］
この実施の形態の窓面緑化システム１０は、育成箱２０と、支持部材３０と、植物はわせ材４０とを有し、これらを組み立てて構成される。この窓面緑化システム１０は、窓内側にブラインド５０を備える場合には、窓６０とブラインド５０との間に配置され、ブラインド５０の邪魔になることがない。
【００２０】
支持部材３０は、アルミニウム、あるいは樹脂で板状に成形され、ビス３１により窓内側の上枠６２に沿って固定されるが、両面接着テープなどで固定してもよい。この支持部材３０は、上枠６２の長さ、幅内に納まり、既存のブラインド５０と干渉しないサイズとする。また、支持部材３０には、支持具３２が所定間隔で固定され、この固定も特に限定されない。
【００２１】
育成箱２０は、植物を育成可能な箱であり、窓内側の下枠６１に沿って固定される。この育成箱２０は、植物に水を供給する水供給層２１と、植物を育成する育成層２２を配置した構成である。
【００２２】
水供給層２１は、化粧パネル箱２３の底側にセットされ、水受け皿２１ａと、水受け皿２１ａの内部に貯める水２１ｂから構成されるが、水を吸収するスポンジとしてもよい。化粧パネル箱２３は、アルミニウム、あるいは樹脂で成形され、ビス２８により下枠６１に固定されるが、両面接着テープなどで固定してもよい。この化粧パネル箱２３は、下枠６１の長さ、幅内に納まり、既存のブラインド５０と干渉しないサイズとする。
【００２３】
水受け皿２１ａは、化粧パネル箱２３と共に下枠６１に固定され、この水受け皿２１ａに水が溜まる。水受け皿２１ａの長さは、化粧パネル箱２３の内部に入る長さであり、水受け皿２１ａの端部には、図６に示すように、浮き７１を設けている。浮き７１に水の溜まりが分かる目印７１ａを設けることで、水やりの時期が判断できる。
【００２４】
植物７０への水やりは、図６に示すように、基本的には浮き７１の目印７１ａを目安に人で補給するが、管理状況に応じて図７に示すような簡易な潅水装置８０を設置してもよい。潅水装置８０は、浮き７１の位置を検出して駆動するが、例えば設定した日数間隔で駆動して貯留タンク８１から水を育成箱２０に供給するようにしてもよい。また、自動的に毎日の朝、あるいは夜に所定時間供給して停止するようにしてもよいし、常時少量づつ供給するようにしてもよく、水の管理の手間を大幅に低減することができる。また、潅水装置８０は、室内では電気や水処理が困難であるため、タンク式の潅水装置や太陽光電池で駆動する小型のものが望ましい。
【００２５】
育成層２２は、化粧パネル箱２３の内部にセットされた水供給層２１の上にセットされ、層受け皿２２ａと、層受け皿２２ａにセットされた土壌２２ｂ及び化粧石２２ｃなどから構成される。層受け皿２２ａの底部には、水２１ｂを通す孔２２ａ１が形成されており、孔２２ａ１から水供給層２１に溜まった水２１ｂが浸透する。育成層２２は育成箱２０から取り外しができ、その長さは取付けや持ち運びに便利なサイズとし、複数個の育成層２２を化粧パネル箱２３の内部にセットするが、１個の育成層２２としてもよい。
【００２６】
土壌２２ｂは、天然土壌でもよいが、室内の汚れを防止するために人工土壌を用い、天然土壌を用いない水耕栽培が望ましい。水だけだと藻の発生が懸念されるので、保水できる人工土壌を用いると良い。
【００２７】
層受け皿２２ａの手前側は、上端部を化粧パネル箱２３の上端部を内側に曲げた屈曲部２３ａに係止して抜け止めされる。化粧パネル箱２３は、水供給層２１及び育成層２２をセットするときに、屈曲部２３ａが外側に押されて屈曲し、セット後に元の位置に復帰して層受け皿２２ａの上端部を係止する。層受け皿２２ａの奥側は、化粧パネル箱２３の上端部に位置調整板２４を挟み、ボルト２５とナット２６により締め付け固定される。また、層受け皿２２ａの奥側には、植物はわせ材４０を取り付ける取付部２７が所定間隔で固定され、取付部２７の上部は、屈曲によって育成箱２０の中央側に位置し、上部には係合孔２７ａが形成されている。
【００２８】
植物はわせ材４０は、成長する植物をはわせることが可能な線状または網状の部材で形成され、折り曲げ、または折りたたみ可能であることが好ましく、例えばワイヤー、ひも、ネットなどが用いられるが、これに限定されず棒でもよい。棒を用いる場合には、折りたたみ可能、また伸縮自在なものがよい。
【００２９】
植物はわせ材４０の一端には引っ掛け部材４１が設けられ、他端には環状部材４２が設けられている。植物はわせ材４０は、引っ掛け部材４１を取付部２７の係合孔２７ａに係止し、植物はわせ材４０がついたユニットになっており、このユニットを水供給層２１内にセットし、環状部材４２を支持具３２に係止し、育成箱２０と支持部材３０との間に設けられる。この実施の形態では、植物はわせ材４０が対向する取付部２７の係合孔２７ａと支持具３２に設けられているが、植物はわせ材４０を交差するように取付部２７の係合孔２７ａと支持具３２に設けてもよい。この植物はわせ材４０のはりパターンは、ストライブ、チェッククロス、ダイヤクロスなどがある。
【００３０】
［窓面緑化システムの組立］
次に、この実施の形態の窓面緑化システムの組み立てについて説明する。図７は窓面緑化システムの組み立て手順を説明する図である。工事現場において、支持部材３０をビス３１により窓内側の上枠６２に沿って固定し、育成箱３０を窓内側の下枠に沿って固定する。この育成箱３０の固定は、化粧パネル箱２３をビス２８により下枠６１に固定し、水供給層２１を化粧パネル箱２３の底側にセットし、育成層２２を水供給層２１の上にセットする。
【００３１】
育成層２２は、植物はわせ材４０の一端の引っ掛け部材４１を取付部２７の係合孔２７ａに係止し、植物はわせ材４０がついたユニットにしてもよく、このユニットを水供給層２１内にセットする。このとき、植物はわせ材４０に植物７０をはわせた状態でもよい。
【００３２】
化粧パネル箱２３は、水供給層２１及び育成層２２をセットするときに、屈曲部２３ａが外側に押されて屈曲し、セット後に元の位置に復帰して層受け皿２２ａの上端部を係止し、層受け皿２２ａの奥側は、化粧パネル箱２３の上端部に位置調整板２４を挟み、ボルト２５とナット２６により締め付け固定する。次に、植物はわせ材４０の他端の環状部材４２を支持具３２に係止し、育成箱２０と支持部材３０との間に設ける。
【００３３】
このように、育成箱２０を窓内側の下枠６１に沿って固定し、支持部材３０を窓内側の上枠６２に沿って固定し、育成箱２０と支持部材３０との間に植物はわせ材４０を設け、育成箱２０に、植物に水を供給する水供給層２１と、植物を育成する育成層２２を配置することで、現場で容易に組み立てを行うことができる。現場での組み立は、特殊な技術を有する緑化業者が行う必要がないので、例えば、宅急便（登録商標）などで窓面緑化システム１０の育成箱２０、支持部材３０、植物はわせ材４０などで送付して現場で需要者が取り付けてもよい。
【００３４】
また、育成層２２と植物はわせ材４０はユニットにしておくと取り替えしやすく、さらに育成層２２に植物７０を植えておくことで、取付け時にすぐに緑化面を作ることができる。また、育成層２２と化粧パネル箱２３の水供給層２１と着脱可能にしておくことで、日射遮蔽が必要ない冬期には容易に取り外すことができ、また植物が枯れた場合には容易に取り外し交換することができる。
【００３５】
この育成箱２０に水を供給し、植物７０を植えつけることで育成箱２０の植物７０は、水供給層２１と育成層２２によって育成されて成長し、成長する植物７０を植物はわせ材４０にはわせることで、日差しを遮る窓面緑化が可能であり、特に夏場の日差しを遮ることで、省エネルギー効果を期待でき、さらに植物７０による癒し効果も期待できる。
【００３６】
この窓面緑化システム１０は、窓内側にブラインド５０を備える場合   でも、窓６０とブラインド５０との間に配置され、ブラインド５０の邪魔になることがない。植物７０は、ツル型植物が用いられ、葉が成長すると外部の日射を遮り、夏場の冷房負荷を軽減する効果があり、例えばヘデラやアサガオなどが望ましい。
【００３７】
植物７０への水やりは、育成箱２０に水を供給すると、育成層２２に水が浸透し、さらに層受け皿２２ａの底部の孔２２ａ１をから通り水供給層２１に貯められる。その後は、この水供給層２１から育成層２２の植物７０に水が供給される。
【００３８】
この窓面緑化システム１０では、建物の窓内側に配置され、高層の窓内側にも配置することができ、既存の建物の窓内側にも配置することができる。また、建物の窓内側に配置され、室内で緑化しているため温度が保ちやすく、植物７０が枯れにくい。しかも、窓面を緑化で覆うことで、夏場の日射を遮ることができる。また、緑化の場合は、植物７０の蒸散作用により、その分の冷却効果が期待できる。
【産業上の利用可能性】
【００３９】
この考案は、室内の窓面を緑化し、かつ日差しを遮るのに好適な窓面緑化システムに適用でき、簡単な構造で日差しを遮る窓面緑化が可能で、現場で容易に組み立てを行うことができ、しかも植物が枯れた場合などには取り替が容易である。
【符号の説明】
【００４０】
１０  窓面緑化システム
２０  育成箱
２１  水供給層
２１ａ  水受け皿
２１ｂ  水
２２  育成層
２２ａ  層受け皿
２２ａ１  孔
２２ｂ  土壌
２２ｃ  化粧石
２３  化粧パネル箱
３０  支持部材
３２  支持具
４０  植物はわせ材
４１  引っ掛け部材
４２  環状部材
５０  ブラインド
６０  窓
６１  窓内側の下枠
６２  窓内側の上枠
７１  浮き
７１ａ  目印
８０  潅水装置
８１  貯留タンク
【図１】
0003174208.tif 000003
【図２】
0003174208.tif 000004
【図３】
0003174208.tif 000005
【図４】
0003174208.tif 000006
【図５】
0003174208.tif 000007
【図６】
0003174208.tif 000008
【図７】
0003174208.tif 000009